(57)【要約】【課題】  光透過性を有しつつ、発電効率の高い太陽電池部を備える表示装置及びこの表示装置を備える電子機器を実現する。【解決手段】  上板ガラス８１と下板ガラス８２との間の第１の領域Ｅ１に色素増感太陽電池８３を配設し、上板ガラス８１と下板ガラス８２との間の第２の領域Ｅ２に液晶部８４を配設し、その液晶部８４に対応した位置に透過型偏光板８５と、半透過反射板付偏光板８６とを配設して、表示装置８を構成した。  光透過性を有する部材により構成される表示装置８は、表示装置自体が光透過性を有するようになり、様々な方向から照射される光が、表示装置８の各部を透過し、表示装置８の太陽電池部に照射されるようになる。そして、表示装置８に対し様々な方向から照射された光が、太陽電池部に照射されるので、太陽電池部はその光の照射に伴い、効率よい発電を行うことができる。【選択図】図２
2005061917.tif 000002
【特許請求の範囲】
【請求項１】
第１の光透過基板と第２の光透過基板との間の第１の領域に配設された光透過性を有する太陽電池部と、
前記第１の光透過基板と前記第２の光透過基板との間の第２の領域に配設された液晶部と、
前記第１の光透過基板の視認側に、前記液晶部に対応して配設された第１の偏光板と、
前記第２の光透過基板の視認側と反対側に、前記液晶部に対応して配設された第２の偏光板と、
を備えることを特徴とする表示装置。
【請求項２】
第１の光透過基板と中間光透過基板の間に配設された光透過性を有する太陽電池部と、
前記中間光透過基板と第２の光透過基板との間に配設された液晶部と、
前記第１の光透過基板の視認側に、前記液晶部に対応して配設された第１の偏光板と、
前記第２の光透過基板の視認側と反対側に、前記液晶部に対応して配設された第２の偏光板と、
を備えることを特徴とする表示装置。
【請求項３】
第１の光透過基板と中間光透過基板の間に配設された液晶部と、
前記中間光透過基板と第２の光透過基板との間に配設された光透過性を有する太陽電池部と、
前記第１の光透過基板の視認側に、前記液晶部に対応して配設された第１の偏光板と、
前記第２の光透過基板の視認側と反対側に、前記液晶部に対応して配設された第２の偏光板と、
を備えることを特徴とする表示装置。
【請求項４】
前記太陽電池部と前記液晶部とは、少なくとも一部が前記中間光透過基板を介して重なり合っていることを特徴とする請求項２又は３に記載の表示装置。
【請求項５】
前記太陽電池部と前記液晶部の両方に光を照射する光照射部を備えることを特徴とする請求項１〜４の何れか一項に記載の表示装置。
【請求項６】
前記光照射部は、前記太陽電池部と前記液晶部の視認側から照射する位置と、前記太陽電池部と前記液晶部の視認側と反対側から照射する位置と、前記太陽電池部と前記液晶部の側方から照射する位置と、の少なくとも何れか１つの位置に配設されることを特徴とする請求項１〜５の何れか一項に記載の表示装置。
【請求項７】
請求項１から請求項６の何れかに記載の表示装置を機器ケースに配置したことを特徴とする電子機器。
【発明の詳細な説明】
【技術分野】
【０００１】
本発明は、腕時計、携帯電話機などの各種の機器に適用される表示装置及びその表示装置を備える電子機器に関する。
【背景技術】
【０００２】
従来より、液晶表示部と太陽電池部が積層されて成る光透過性を有する表示装置が知られている（例えば、特許文献１参照。）。
この光透過性を有する表示装置は、液晶表示部の前面である視認側に、細かい格子状のアモルファスシリコンなどからなる太陽電池部が配設された構造であり、太陽電池部の格子の隙間である透過部から、太陽光や室内灯の光などが液晶表示部に照射されて、その液晶表示部を視認することができるようになっている。また、暗所においては、太陽電池部と液晶表示部の間に配設された光源部が出力する光が液晶表示部を照射し、太陽電池部の格子の隙間である透過部からその液晶表示部を視認することができるようになっている。
【特許文献１】特開２０００−１８７２０４号公報
【発明の開示】
【発明が解決しようとする課題】
【０００３】
しかしながら、上記特許文献１の場合、太陽電池部は細かい格子状であり隙間があるので、その太陽電池部の単位面積あたりの発電量は少なく、発電効率は低いという問題があった。
【０００４】
本発明の課題は、光透過性を有しつつ、発電効率の高い太陽電池部を備える表示装置及びこの表示装置を備える電子機器を提供することである。
【課題を解決するための手段】
【０００５】
本発明は、上記の課題を解決するため、以下のような構成要素を備えている。なお、以下に示す構成要素には、括弧書きにより実施形態に対応する構成及び図面参照符号を記す。
請求項１記載の発明は、表示装置（例えば、表示装置８、８０）において、
第１の光透過基板（例えば、上板ガラス８１）と第２の光透過基板（例えば、下板ガラス８２）との間の第１の領域（例えば、第１の領域Ｅ１）に配設された光透過性を有する太陽電池部（例えば、色素増感太陽電池部８３等）と、
前記第１の光透過基板と前記第２の光透過基板との間の第２の領域（例えば、第２の領域Ｅ２）に配設された液晶部（例えば、液晶部８４等）と、
前記第１の光透過基板の視認側に、前記液晶部に対応して配設された第１の偏光板（例えば、透過型偏光板８５等）と、
前記第２の光透過基板の視認側と反対側に、前記液晶部に対応して配設された第２の偏光板（例えば、半透過反射板付偏光板８６等）と、
を備えることを特徴とする。
【０００６】
請求項１記載の発明によれば、表示装置は、第１の光透過基板と第２の光透過基板との間の第１の領域に光透過性を有する太陽電池部が配設され、第１の光透過基板と第２の光透過基板との間の第２の領域に液晶部が配設されて、その液晶部に対応した位置に第１の偏光板と、第２の偏光板とが配設されて構成されているので、表示装置自体が光透過性を有するようになる。
従って、従来のように太陽電池に隙間を設けることがないので、単位面積あたりの発電量を向上させることができることとなって、光透過性を有しつつ、発電効率の良い太陽電池部を備える表示装置を提供することができる。
【０００７】
請求項２記載の発明は、表示装置（例えば、表示装置９等）において、
第１の光透過基板（例えば、上板ガラス９１）と中間光透過基板（例えば、中板ガラス９９）の間に配設された光透過性を有する太陽電池部（例えば、色素増感太陽電池部９３等）と、
前記中間光透過基板と第２の光透過基板（例えば、下板ガラス９２）との間に配設された液晶部（例えば、液晶部９４等）と、
前記第１の光透過基板の視認側に、前記液晶部に対応して配設された第１の偏光板（例えば、透過型偏光板９５等）と、
前記第２の光透過基板の視認側と反対側に、前記液晶部に対応して配設された第２の偏光板（例えば、半透過反射板付偏光板９６等）と、
を備えることを特徴とする。
【０００８】
請求項２記載の発明によれば、表示装置は、第１の光透過基板と中間光透過基板の間に光透過性を有する太陽電池部が配設され、中間光透過基板と第２の光透過基板との間に液晶部が配設されて、その液晶部に対応した位置に第１の偏光板と、第２の偏光板とが配置されて構成されているので、表示装置自体が光透過性を有するようになる。
従って、従来のように太陽電池に隙間を設けることがないので、単位面積あたりの発電量を向上させることができることとなって、光透過性を有しつつ、発電効率の良い太陽電池部を備える表示装置を提供することができる。
【０００９】
請求項３記載の発明は、表示装置（例えば、表示装置９０等）において、
第１の光透過基板（例えば、上板ガラス９１）と中間光透過基板（例えば、中板ガラス９９）の間に配設された液晶部（例えば、液晶部９４等）と、
前記中間光透過基板と第２の光透過基板（例えば、下板ガラス９２）との間に配設された光透過性を有する太陽電池部（例えば、色素増感太陽電池部９３等）と、
前記第１の光透過基板の視認側に、前記液晶部に対応して配設された第１の偏光板（例えば、透過型偏光板９５等）と、
前記第２の光透過基板の視認側と反対側に、前記液晶部に対応して配設された第２の偏光板（例えば、半透過反射板付偏光板９６等）と、
を備えることを特徴とする。
【００１０】
請求項３記載の発明によれば、表示装置は、第１の光透過基板と中間光透過基板の間に液晶部が配設され、中間光透過基板と第２の光透過基板との間に光透過性を有する太陽電池部が配設されて、その液晶部に対応した位置に第１の偏光板と、第２の偏光板とが配置されて構成されているので、表示装置自体が光透過性を有するようになる。
従って、従来のように太陽電池に隙間を設けることがないので、単位面積あたりの発電量を向上させることができることとなって、光透過性を有しつつ、発電効率の良い太陽電池部を備える表示装置を提供することができる。
【００１１】
請求項４記載の発明は、請求項２又は３に記載の表示装置において、
前記太陽電池部と前記液晶部とは、少なくとも一部が前記中間光透過基板を介して重なり合っていることを特徴とする。
【００１２】
請求項４記載の発明によれば、請求項２又は３に記載の発明と同様の作用を奏するとともに、表示装置において、太陽電池部と液晶部とは、少なくとも一部が中間光透過基板を介して重なり合わせて配設されるので、太陽電池部と液晶部のそれぞれをより大きくしたり、逆に表示装置自体をコンパクト化することができる。
つまり、光透過性を有する太陽電池部と液晶部とが重なり合っても、その太陽電池部を介して液晶部を視認することができ、また、その液晶部を介して太陽電池部に光を照射することができるので、太陽電池部と液晶部のそれぞれの機能を妨げ合うことはない。
よって、太陽電池部をより大きく、広く配設することにより、発電効率を向上させることができ、液晶部をより大きく、広く配設することにより、液晶表示のバリエーションを広げることができる。また、液晶部と太陽電池部の大きさがそのままであれば、太陽電池部と液晶部とを重ねることにより表示装置自体をコンパクト化することができる。
【００１３】
請求項５記載の発明は、請求項１〜４の何れか一項に記載の表示装置において、
前記太陽電池部と前記液晶部の両方に光を照射する光照射部（例えば、ＥＬ発光素子１０、発光素子１０ａ）を備えることを特徴とする。
【００１４】
請求項５記載の発明によれば、請求項１〜４の何れか一項に記載の発明と同様の作用を奏するとともに、表示装置において、光照射部が太陽電池部と液晶部の両方に光を照射するので、太陽電池部はその光の照射に伴い発電を行うことができ、また、液晶部における液晶表示を暗所においても視認可能にすることができる。また、光照射部が太陽電池部と液晶部の両方に光を照射するので、個別に光照射部を設ける場合に比べてコストダウンを図ることができる。
【００１５】
請求項６記載の発明は、請求項１〜５の何れか一項に記載の表示装置において、
前記光照射部は、前記太陽電池部と前記液晶部の視認側から照射する位置と、前記太陽電池部と前記液晶部の視認側と反対側から照射する位置と、前記太陽電池部と前記液晶部の側方から照射する位置と、の少なくとも何れか１つの位置に配設されることを特徴とする。
【００１６】
請求項６記載の発明によれば、請求項１〜５の何れか一項に記載の発明と同様の作用を奏するとともに、表示装置において、光照射部は、太陽電池部と液晶部に対し、視認側から光を照射する位置と、視認側と反対側から光を照射する位置と、側方から光を照射する位置と、の少なくとも何れか１つの位置に配設されて、光照射部が太陽電池部と液晶部に光を照射するので、太陽電池部はその光の照射に伴い発電を行うことができ、また、液晶部における液晶表示を暗所においても視認可能にすることができる。
【００１７】
請求項７記載の発明は、請求項１から請求項６の何れかに記載の表示装置を機器ケース（例えば、時計ケース２）に配置したことを特徴とする電子機器（例えば、腕時計１００、２００、３００、４００）。
【００１８】
請求項７記載の発明によれば、電子機器は、機器ケースに請求項１から請求項６の何れかに記載の表示装置が配置されて構成されるので、請求項１〜６の何れか一項に記載の発明と同様の作用を奏するとともに、電子機器には、表示装置が有する機能、例えば、表示装置の液晶部に基づく液晶表示機能や、表示装置の太陽電池部が発電する電力を使用する自家発電機能が付与される。その機能の付与により、電子機器の高機能化を図ることができる。
【発明の効果】
【００１９】
請求項１記載の発明によれば、表示装置は、第１の光透過基板と第２の光透過基板との間の第１の領域に光透過性を有する太陽電池部が配設され、第１の光透過基板と第２の光透過基板との間の第２の領域に液晶部が配設されて、その液晶部に対応した位置に第１の偏光板と、第２の偏光板とが配設されて構成されているので、表示装置自体が光透過性を有するようになる。
従って、従来のように太陽電池に隙間を設けることがないので、単位面積あたりの発電量を向上させることができることとなって、光透過性を有しつつ、発電効率の良い太陽電池部を備える表示装置を提供することができる。
【００２０】
請求項２記載の発明によれば、表示装置は、第１の光透過基板と中間光透過基板の間に光透過性を有する太陽電池部が配設され、中間光透過基板と第２の光透過基板との間に液晶部が配設されて、その液晶部に対応した位置に第１の偏光板と、第２の偏光板とが配置されて構成されているので、表示装置自体が光透過性を有するようになる。
従って、従来のように太陽電池に隙間を設けることがないので、単位面積あたりの発電量を向上させることができることとなって、光透過性を有しつつ、発電効率の良い太陽電池部を備える表示装置を提供することができる。
【００２１】
請求項３記載の発明によれば、表示装置は、第１の光透過基板と中間光透過基板の間に液晶部が配設され、中間光透過基板と第２の光透過基板との間に光透過性を有する太陽電池部が配設されて、その液晶部に対応した位置に第１の偏光板と、第２の偏光板とが配置されて構成されているので、表示装置自体が光透過性を有するようになる。
従って、従来のように太陽電池に隙間を設けることがないので、単位面積あたりの発電量を向上させることができることとなって、光透過性を有しつつ、発電効率の良い太陽電池部を備える表示装置を提供することができる。
【００２２】
請求項４記載の発明によれば、請求項２又は３に記載の発明と同様の作用を奏するとともに、表示装置において、太陽電池部と液晶部とは、少なくとも一部が中間光透過基板を介して重なり合わせて配設されるので、太陽電池部と液晶部のそれぞれをより大きくしたり、逆に表示装置自体をコンパクト化することができる。
つまり、光透過性を有する太陽電池部と液晶部とが重なり合っても、その太陽電池部を介して液晶部を視認することができ、また、その液晶部を介して太陽電池部に光を照射することができるので、太陽電池部と液晶部のそれぞれの機能を妨げ合うことはない。
よって、太陽電池部をより大きく、広く配設することにより、発電効率を向上させることができ、液晶部をより大きく、広く配設することにより、液晶表示のバリエーションを広げることができる。また、液晶部と太陽電池部の大きさがそのままであれば、太陽電池部と液晶部とを重ねることにより表示装置自体をコンパクト化することができる。
【００２３】
請求項５記載の発明によれば、請求項１〜４の何れか一項に記載の発明と同様の作用を奏するとともに、表示装置において、光照射部が太陽電池部と液晶部の両方に光を照射するので、太陽電池部はその光の照射に伴い発電を行うことができ、また、液晶部における液晶表示を暗所においても視認可能にすることができる。また、光照射部が太陽電池部と液晶部の両方に光を照射するので、個別に光照射部を設ける場合に比べてコストダウンを図ることができる。
【００２４】
請求項６記載の発明によれば、請求項１〜５の何れか一項に記載の発明と同様の作用を奏するとともに、表示装置において、光照射部は、太陽電池部と液晶部に対し、視認側から光を照射する位置と、視認側と反対側から光を照射する位置と、側方から光を照射する位置と、の少なくとも何れか１つの位置に配設されて、光照射部が太陽電池部と液晶部に光を照射するので、太陽電池部はその光の照射に伴い発電を行うことができ、また、液晶部における液晶表示を暗所においても視認可能にすることができる。
【００２５】
請求項７記載の発明によれば、電子機器は、機器ケースに請求項１から請求項６の何れかに記載の表示装置が配置されて構成されるので、請求項１〜６の何れか一項に記載の発明と同様の作用を奏するとともに、電子機器には、表示装置が有する機能、例えば、表示装置の液晶部に基づく液晶表示機能や、表示装置の太陽電池部が発電する電力を使用する自家発電機能が付与される。その機能の付与により、電子機器の高機能化を図ることができる。
【発明を実施するための最良の形態】
【００２６】
以下、図を参照して本発明に係る表示装置を電子機器としての腕時計に適用する実施の形態を詳細に説明する。
【００２７】
（実施形態１）
図１は本発明の腕時計を示した平面図であり、図２は図１のII−II線における要部の断面図である。
図１、図２に示すように、腕時計１００には、時計計時部１を内部に収納する機器ケースとしての時計ケース２が備えられ、時計ケース２の上部中央には時計ガラス３が装着されている。さらに、この時計ケース２の下面には、裏蓋４が防水リング５を介してビス６により取り付けられており、時計計時部１と裏蓋４との間には、緩衝部材７が設けられている。また、時計ケース２には、バンド軸２Ａを介し、時計バンドＢが取り付けられている。
【００２８】
時計計時部１は、アナログ機能とデジタル機能のうち、少なくともデジタル機能を備えたものであり、図１、図２には、その両方の機能を備えたものを示している。
図２に示すように、時計計時部１には、上部ハウジング１１と下部ハウジング１２とが備えられ、上部ハウジング１１の上面には時字が記されている文字板１３が配置されている。また、上部ハウジング１１と下部ハウジング１２との間に、例えば、ＰＷＢなどの回路基板１４が配置されている。
【００２９】
上部ハウジング１１には、本発明にかかる表示装置８が備えられている。このように表示装置８は、時計計時部１の上部ハウジング１１に収容されて、時計ケース２に配置されている。また、上部ハウジング１１において表示装置８の視認側と反対側には、光照射部であるＥＬ発光素子１０がバックライトとして配置されている。なお、ＥＬ発光素子１０は、所定の光を出力することができる発光素子である。
【００３０】
下部ハウジング１２には、アナログ指針機構１５と、太陽電池部としての色素増感太陽電池８３で発電された電力を蓄積するための二次電池１６が組み込まれている。
アナログ指針機構１５は、表示装置８に設けられた軸孔８ａからその上方に延びる指針軸１５ａと、この指針軸１５ａに取り付けられた時針、分針などの指針１７とを備え、この指針１７が文字板１３の上方を運針するように構成されている。
これら表示装置８、ＥＬ発光素子１０、アナログ指針機構１５は、回路基板１４に電気的に接続されており、また、二次電池１６も回路基板１４に電気的に接続されている。
【００３１】
表示装置８は、図２、図３、図４に示すように、第１の光透過基板である上板ガラス８１と、第２の光透過基板である下板ガラス８２と、上板ガラス８１と下板ガラス８２との間の第１の領域Ｅ１に配設された太陽電池部としての色素増感太陽電池部８３と、上板ガラス８１と下板ガラス８２との間の第２の領域Ｅ２に配設された液晶部８４と、上板ガラス８１の視認側である上面に液晶部８４に対応して配設された第１の偏光板としての透過型偏光板８５と、下板ガラス８２の視認側と反対側である下面に液晶部８４に対応して配設された第２の偏光板としての半透過反射板付偏光板８６等により構成されている。
【００３２】
なお、第１の領域Ｅ１と第２の領域Ｅ２とはシール部材８７により仕切られており、色素増感太陽電池部８３と液晶部８４とが隔絶されている。なお、シール部材８７は、光透過性を有する樹脂等からなることが好ましい。
そして、色素増感太陽電池部８３は、表示装置８において、軸孔８ａの周囲に４ブロック（具体的には、文字板１３の時字に対応する１２時と３時の間のブロック、３時と６時の間のブロック、６時と９時の間のブロック、９時と１２時の間のブロック）に区切られて配設されている。また、液晶部８４は、表示装置８において、色素増感太陽電池部８３の下側（腕時計１００を視認する向きにおける下側）に配設されている。
そして、ＥＬ発光素子１０は、表示装置８に視認側と反対側から光を照射することができ、その表示装置８の色素増感太陽電池部８３と液晶部８４の両方に光を照射することができる。
【００３３】
色素増感太陽電池部８３は、例えば、上板ガラス８１の下面に備えられた図示しない上透明電極と、下板ガラス８２の上面に備えられた図示しない下透明電極と、その上透明電極と下透明電極の間に封止される、所定の色素を吸着させた図示しない金属酸化物層と、所定の電解質を有する図示しない電荷輸送層等により構成されている。なお、色素増感太陽電池部８３は、文字板１３に形成された電池窓部１３ａを通じて視認可能であるとともに、電池窓部１３ａから太陽光などの外部光が照射されるようになっている。
また、色素増感太陽電池部８３は、光透過性を有しており、バックライトとしてのＥＬ発光素子１０が出力する光を腕時計１００の視認側へ透過させることができる。
【００３４】
ここで、色素としては、例えば、ルテニウム錯体（RuL2(NCS)2, L=4.4'-dicarboxy-2,2' bipyridine）を用いることができ、金属酸化物である酸化チタン（ＴｉＯ2）に吸着させて金属酸化物層が形成される。また、電解質としては、ヨウ化物を用いることができ、例えば、ポリエチレングリコールにヨウ化リチウムや金属ヨウ素を加えて電荷輸送層が形成される。
この色素増感太陽電池部８３に光が照射されると、色素増感太陽電池部８３の金属酸化物層（図示省略）に吸着された色素が光エネルギーを吸収し、電子を放出する。その放出された電子は酸化チタンを介して一方の透明電極へ引き渡されて、その透明電極から外部の所定の負荷抵抗（例えば、時計計時部１のアナログ指針機構１５や、液晶部８４）へ送られる。その負荷抵抗を経由して移動した電子は、他方の透明電極に到達した後、電解質層（図示省略）を介して、色素に復帰する。この電子の循環現象により電流を発生させて発電し、負荷抵抗に電気エネルギーを供給することが可能になる。
【００３５】
液晶部８４は、例えば、上板ガラス８１の下面に備えられた図示しない上透明電極と、下板ガラス８２の上面に備えられた図示しない下透明電極と、その上透明電極と下透明電極の間に封止される図示しない液晶層等により構成されている。なお、液晶層（図示省略）には、例えば、ツイスト角が９０度のツイストネマティック（ＴＮ）液晶を使用する。
そして、この表示装置８において、上板ガラス８１と下板ガラス８２に挟持された液晶部８４と、液晶部８４に対応して配設された透過型偏光板８５と半透過反射板付偏光板８６とにより液晶表示部が構成され、液晶部８４における図示しない一対の透明電極間に電圧を印加した状態に応じて、時刻や日時などの情報をデジタル表示するようになっている。
なお、図３に示すように、液晶部８４における図示しない透明電極（上透明電極、下透明電極）から延出する配線８４ａは、液晶部８４（透明電極）から、色素増感太陽電池部８３の下側（腕時計１００を視認する向きにおける下側）に向けて設けられている。そして、その配線８４ａは回路基板１４に繋がるコネクター１８に接続している。
【００３６】
また、液晶部８４（液晶表示部）は、文字板１３に形成された液晶窓部１３ｂから、太陽光などの外部光が照射されるようになっており、液晶部８４（液晶表示部）における液晶表示（デジタル表示）を液晶窓部１３ｂから視認することができるようになっている。
また、第１の偏光板に透過型偏光板８５、第２の偏光板に半透過反射板付偏光板８６を適用することにより、ＥＬ発光素子１０が出力する光が、半透過反射板付偏光板８６を介して視認側へ透過するようになっており、その光を液晶部８４（液晶表示部）へ照射することができるようになっている。つまり、暗所において、バックライトとしてのＥＬ発光素子１０を発光させることにより、液晶部８４（液晶表示部）へ光を照射し、視認することができるようになる。
【００３７】
このように、表示装置８は、上板ガラス８１と下板ガラス８２との間に、色素増感太陽電池部８３と液晶部８４とをそれぞれ挟持し、その液晶部８４に対応する位置に透過型偏光板８５と半透過反射板付偏光板８６を配設した構成で形成されることにより、表示装置８自体が光透過性を有するようにすることができる。
つまり、バックライトとしてのＥＬ発光素子１０が発光して出力する光が、表示装置８（色素増感太陽電池部８３や液晶部８４）を透過し、腕時計１００の視認側に到達するので、暗所においてＥＬ発光素子１０を発光させることにより、文字板１３や文字板１３上の指針１７および液晶部８４（液晶表示部）をその光で照射することができ、腕時計１００が示す時間等を視認可能にすることができる。
【００３８】
また、色素増感太陽電池部８３は、視認側から照射される太陽光や室内灯の光等により発電を行うことができるとともに、色素増感太陽電池部８３の裏側（下面側）からＥＬ発光素子１０が出力する光が照射されることによっても発電を行うことができる。よって、表示装置８の色素増感太陽電池部８３は、効率よい発電を行うことができる。
そして、発電した電力を二次電池１６に充電し、この二次電池１６に充電した電力を腕時計１００の電力として使用することができる。
【００３９】
また、表示装置８は、上板ガラス８１と下板ガラス８２との間に液晶部８４を挟持するという一般的な液晶表示部を形成する構成において、太陽電池部としての色素増感太陽電池部８３も上板ガラス８１と下板ガラス８２との間に備えることができるので、液晶部８４と色素増感太陽電池部８３とをそれぞれ厚さ方向に設ける必要が無く、液晶表示部と太陽電池部とを有する表示装置８として、薄型化を図ることができる。
【００４０】
このように、腕時計１００は、時計計時部１にこのような表示装置８が備えられることにより、表示装置８の液晶部８４によって液晶表示機能（デジタル表示機能）が付与されるとともに、表示装置８の色素増感太陽電池部８３によって電力を発電し、この発電した電力を二次電池１６に蓄えるようにすることによって、二次電池１６は常に充電されるため、電池交換が不要となる。
また、表示装置８は、従来の太陽電池部を備える表示装置より薄型化することができるので、表示装置８を備える腕時計１００の薄型化を図ることができる。
【００４１】
また、ＥＬ発光素子１０が発光して出力する光が、表示装置８（色素増感太陽電池部８３や液晶部８４）を透過して、文字板１３や文字板１３上の指針１７および液晶部８４（液晶表示部）を照射することにより、腕時計１００が示す時間等が暗所においても視認可能となる。
また、表示装置８の色素増感太陽電池部８３は、図示しない金属酸化物層に含まれる色素に基づく色を有しているので、ＥＬ発光素子１０が出力する光が色素増感太陽電池部８３を透過した光は、金属酸化物層に含まれる様々な色素に応じた色で着色された有色光となる。よって、ＥＬ発光素子１０の発光時に、腕時計１００がそのような色素の色に基づく有色光で彩ることができ、趣向性に富んだ腕時計とすることができる。
【００４２】
（実施形態２）
次に、図５を参照して、本発明を腕時計に適用した実施形態２について説明する。なお、実施形態１と同一部分には同一符号を付し、異なる部分について説明する。
【００４３】
図５に示すように、腕時計２００には、光照射部である発光素子１０ａが文字板１３の上方側において、時計ケース２の突起部２ａの上面と、時計ガラス３の下面との間に備えられている。なお、発光素子１０ａは図示しない配線により回路基板１４に電気的に接続されている。
発光素子１０ａは、所定の光を出力することができるフロントライトとしての発光素子である。
発光素子１０ａは、表示装置８の視認側から光を照射することができ、その表示装置８の色素増感太陽電池部８３と液晶部８４の両方に光を照射することができる。また、発光素子１０ａは、文字板１３や文字板１３上の指針１７等にも光を照射する。
【００４４】
このような腕時計２００においても、発光素子１０ａが出力する光により、文字板１３や文字板１３上の指針１７および液晶部８４（液晶表示部）が照射されるので、腕時計２００が示す時間等が暗所においても視認可能となる。
また、表示部８の色素増感太陽電池部８３に、太陽光や室内灯の光や、発光素子１０ａが出力する光を照射することによって発電を行うことができ、発電した電力を二次電池１６に充電することができる。
なお、実施形態２においても、その他実施形態１と同様の効果が得られることは勿論である。
【００４５】
（実施形態３）
次に、図６を参照して、本発明を腕時計に適用した実施形態３について説明する。なお、実施形態１と同一部分には同一符号を付し、異なる部分について説明する。
【００４６】
図６に示すように、腕時計３００には、光照射部である発光素子１０ａが表示装置８の周囲側部において、上部ハウジング１１に埋設されるように備えられている。なお、発光素子１０ａは図示しない配線により回路基板１４に電気的に接続されている。
発光素子１０ａは、所定の光を出力することができるサイドライトとしての発光素子である。
発光素子１０ａは、表示装置８の側方から光を照射することができ、その表示装置８の色素増感太陽電池部８３と液晶部８４の両方に光を照射することができる。特に、発光素子１０ａから出力された光は、光透過性を有する上板ガラス８１と下板ガラス８２に導光されて、上板ガラス８１や下板ガラス８２の上面や下面から放出されるので、放出された光を好適に色素増感太陽電池部８３や液晶部８４、また、文字板１３や文字板１３上の指針１７等に照射することができる。
【００４７】
このような腕時計３００においても、発光素子１０ａが出力する光により、文字板１３や文字板１３上の指針１７および液晶部８４（液晶表示部）が照射されるので、腕時計３００が示す時間等が暗所においても視認可能となる。
また、表示部８の色素増感太陽電池部８３に、太陽光や室内灯の光や、発光素子１０ａが出力する光を照射することによって発電を行うことができ、発電した電力を二次電池１６に充電することができる。
なお、実施形態３においても、その他実施形態１と同様の効果が得られることは勿論である。
【００４８】
（実施形態４）
次に、図７、図８を参照して、本発明を腕時計に適用した実施形態４について説明する。なお、実施形態１と同一部分には同一符号を付し、異なる部分について説明する。
【００４９】
本発明にかかる腕時計の時計計時部に備えられる表示装置は、図７、図８に示すような構造の表示装置８０であってもよい。
表示装置８０は、第１の光透過基板である上板ガラス８１と、第２の光透過基板である下板ガラス８２と、上板ガラス８１と下板ガラス８２との間の第１の領域Ｅ１に配設された太陽電池部としての色素増感太陽電池部８３ａと、上板ガラス８１と下板ガラス８２との間の第２の領域Ｅ２に配設された液晶部８４ａと、上板ガラス８１の視認側である上面に液晶部８４ａに対応して配設された第１の偏光板としての透過型偏光板８５ａと、下板ガラス８２の視認側と反対側である下面に液晶部８４ａに対応して配設された第２の偏光板としての半透過反射板付偏光板８６ａ等により構成されている。
【００５０】
なお、第１の領域Ｅ１と第２の領域Ｅ２とはシール部材８７ａにより仕切られており、色素増感太陽電池部８３ａと液晶部８４ａとが隔絶されている。なお、シール部材８７ａは、光透過性を有する樹脂等からなることが好ましい。
そして、液晶部８４ａは、表示装置８０における、略中央部（腕時計を視認する際の向きにおける略中央部）に配設されている。
また、色素増感太陽電池部８３ａは、表示装置８０における液晶部８４ａの周囲であり、表示装置８０の４隅に４ブロックに区切られて配設されている。
【００５１】
このような構成の表示装置８０も、表示装置８０自体が光透過性を有するように構成されている。
よって、表示装置８０の視認側に備えられたフロントライトは勿論のこと、表示装置８０の視認側と反対側に備えられたバックライトや、表示装置８０の周囲側部に備えられたサイドライトによっても、それらライト（発光素子、光照射部）が出力する光によって、表示装置８０を照射することができ、表示装置８０の色素増感太陽電池部８３ａと液晶部８４ａの両方に光を照射することができる。
【００５２】
このような表示装置８０を腕時計に備えることにより、表示装置８０の液晶部８４ａによって液晶表示機能（デジタル表示機能）が腕時計に付与されるとともに、表示装置８０の色素増感太陽電池部８３ａが発電した電力を二次電池１６に充電し、この二次電池１６により腕時計に電力が供給されるようになる。
なお、実施形態４においても、その他実施形態１と同様の効果が得られることは勿論である。
【００５３】
（実施形態５）
次に、図９、図１０を参照して、本発明を腕時計に適用した実施形態５について説明する。なお、実施形態１と同一部分には同一符号を付し、異なる部分について説明する。
【００５４】
図９、図１０に示すように、腕時計４００の時計計時部１の上部ハウジング１１には、本発明にかかる表示装置９が備えられている。このように表示装置９は、時計計時部１（上部ハウジング１１）に収容されて、時計ケース２に配置されている。また、上部ハウジング１１において表示装置９の視認側と反対側には、光照射部であるＥＬ発光素子１０がバックライトとして配置されている。
ＥＬ発光素子１０は、表示装置９に視認側と反対側から光を照射することができ、その表示装置９の色素増感太陽電池部９３と液晶部９４の両方に光を照射することができる。
【００５５】
表示装置９は、図９、図１０に示すように、第１の光透過基板である上板ガラス９１と、上板ガラス９１の視認側と反対側に配設される第２の光透過基板である下板ガラス９２と、上板ガラス９１と下板ガラス９２の間に配置される中間光透過基板である中板ガラス９９と、上板ガラス９１と中板ガラス９９との間に配設された太陽電池部としての色素増感太陽電池部９３と、中板ガラス９９と下板ガラス９２との間に配設された液晶部９４と、上板ガラス９１の視認側である上面に液晶部９４に対応して配設された第１の偏光板としての透過型偏光板９５と、下板ガラス９２の視認側と反対側である下面に液晶部９４に対応して配設された第２の偏光板としての半透過反射板付偏光板９６等により構成されている。
【００５６】
なお、色素増感太陽電池部９３は、上板ガラス９１と中板ガラス９９との間にシール部材９７により封止され、液晶部９４は、中板ガラス９９と下板ガラス９２との間にシール部材９７により封止されている。このシール部材９７は、光透過性を有する樹脂等からなることが好ましい。そして、色素増感太陽電池部９３と液晶部９４は、中板ガラス９９を介して重なり合うように配置されている。
【００５７】
色素増感太陽電池部９３は、例えば、上板ガラス９１の下面に備えられた図示しない上透明電極と、中板ガラス９９の上面に備えられた図示しない下透明電極と、その上透明電極と下透明電極の間に封止される、所定の色素を吸着させた図示しない金属酸化物層と、所定の電解質を有する図示しない電荷輸送層等により構成されている。なお、色素増感太陽電池部９３は、文字板１３に形成された窓部１３ｃを通じて視認可能であるとともに、窓部１３ｃから太陽光などの外部光が照射されるようになっている。
また、色素増感太陽電池部９３は、光透過性を有しており、バックライトとしてのＥＬ発光素子１０が出力する光を、液晶部９４を介して腕時計１００の視認側へ透過させることができる。その際、ＥＬ発光素子１０が出力する光は、液晶部９４を介して色素増感太陽電池部９３に照射される。
【００５８】
液晶部９４は、例えば、中板ガラス９９の下面に備えられた図示しない上透明電極と、下板ガラス９２の上面に備えられた図示しない下透明電極と、その上透明電極と下透明電極の間に封止される図示しない液晶層等により構成されている。なお、液晶層（図示省略）には、例えば、ツイスト角が９０度のツイストネマティック（ＴＮ）液晶を使用する。
そして、この表示装置９において、中板ガラス９９と下板ガラス９２に挟持された液晶部９４と、液晶部９４に対応して配設された透過型偏光板９５と半透過反射板付偏光板９６とにより液晶表示部が構成され、液晶部９４における図示しない一対の透明電極間に電圧を印加した状態に応じて、時刻や日時などの情報をデジタル表示するようになっている。
【００５９】
なお、液晶部９４は、文字板１３に形成された窓部１３ｃを通じ、光透過性を有する色素増感太陽電池部９３を介して視認することができるようになっている。
つまり、液晶部９４（液晶表示部）には、文字板１３に形成された窓部１３ｃから、太陽光などの外部光が照射されるようになっており、液晶部９４（液晶表示部）における液晶表示（デジタル表示）を窓部１３ｃから視認することができるようになっている。
また、第１の偏光板に透過型偏光板９５、第２の偏光板に半透過反射板付偏光板９６を適用することにより、ＥＬ発光素子１０が出力する光が、半透過反射板付偏光板９６を介して視認側へ透過するようになっており、その光を液晶部９４（液晶表示部）へ照射することができるようになっている。つまり、暗所において、バックライトとしてのＥＬ発光素子１０を発光させることにより、液晶部９４（液晶表示部）へ光を照射し、視認することができるようになる。
【００６０】
このように、表示装置９は、上板ガラス９１と中板ガラス９９と下板ガラス９２の間に、色素増感太陽電池部９３と液晶部９４とをそれぞれ挟持し、その液晶部９４に対応する位置に透過型偏光板９５と半透過反射板付偏光板９６を配設した構成で形成されることにより、表示装置９自体が光透過性を有するようにすることができる。
つまり、バックライトとしてのＥＬ発光素子１０が発光して出力する光が、表示装置９（色素増感太陽電池部９３や液晶部９４）を透過し、腕時計４００の視認側に到達するので、暗所においてＥＬ発光素子１０を発光させることにより、文字板１３や文字板１３上の指針１７および液晶部９４（液晶表示部）をその光で照射することができ、腕時計４００が示す時間等を視認可能にすることができる。
【００６１】
また、色素増感太陽電池部９３は、視認側から照射される太陽光や室内灯の光等により発電を行うことができるとともに、色素増感太陽電池部９３の裏側（下面側）からＥＬ発光素子１０が出力する光が照射されることによっても発電を行うことができる。よって、表示装置９の色素増感太陽電池部９３は、効率よい発電を行うことができる。
そして、発電した電力を腕時計４００の電力として使用することができる。
【００６２】
また、表示装置９は、上板ガラス９１と中板ガラス９９との間に挟持した色素増感太陽電池部９３と、中板ガラス９９と下板ガラス９２との間に挟持した液晶部９４を、中板ガラス９９を介して重なり合うように配置することにより、時計計時部１（上部ハウジング１１）のスペースを有効に活用するように、色素増感太陽電池部９３や液晶部９４をより広く、大きく配設することができる。
そして、より広く、大きく色素増感太陽電池部９３が備えられることにより、色素増感太陽電池部９３が発電する電力量をより上げることができる。
また、より広く、大きく液晶部９４が備えられることにより、液晶部９４における液晶表示（デジタル表示）をより大きく、多彩に表示することができる。
なお、これら色素増感太陽電池部９３や液晶部９４は、それぞれ光透過性を有しているので、液晶部９４の前面に色素増感太陽電池部９３が重なるように配置されても、液晶部９４における液晶表示（デジタル表示）を視認することはでき、バックライトとしてのＥＬ発光素子１０が発光して出力する光は、液晶部９４を介して色素増感太陽電池部９３に照射することができるので、色素増感太陽電池部９３や液晶部９４のそれぞれの機能を妨げることはない。
【００６３】
このように、腕時計４００は、時計計時部１にこのような表示装置９が備えられることにより、表示装置９の液晶部９４によって液晶表示機能（デジタル表示機能）が付与されるとともに、表示装置９の色素増感太陽電池部９３によって二次電池１６が充電されるようになる。
【００６４】
また、ＥＬ発光素子１０が発光して出力する光が、表示装置９（色素増感太陽電池部９３や液晶部９４）を透過して、文字板１３や文字板１３上の指針１７および液晶部８４（液晶表示部）を照射することにより、腕時計４００が示す時間等が暗所においても視認可能となる。
また、表示装置９の色素増感太陽電池部９３は、図示しない金属酸化物層に含まれる色素に基づく色を有しているので、ＥＬ発光素子１０が出力する光が色素増感太陽電池部９３を透過した光は、その色素に基づく色で着色された有色光となる。よって、ＥＬ発光素子１０の発光時に、腕時計４００がそのような有色光で彩ることができ、趣向性に富んだ腕時計とすることができる。
このように、実施形態５においても、実施形態１と同様の効果が得られる。
【００６５】
（実施形態６）
次に、図１１を参照して、本発明を腕時計に適用した実施形態６について説明する。なお、実施形態１、実施形態５と同一部分には同一符号を付し、異なる部分について説明する。
【００６６】
本発明にかかる腕時計の時計計時部に備えられる表示装置は、図１１に示すような構造の表示装置９０であってもよい。
表示装置９０は、第１の光透過基板である上板ガラス９１と、上板ガラス９１の視認側と反対側に配設される第２の光透過基板である下板ガラス９２と、上板ガラス９１と下板ガラス９２の間に配置される中間光透過基板である中板ガラス９９と、上板ガラス９１と中板ガラス９９との間に配設された液晶部９４と、中板ガラス９９と下板ガラス９２との間に配設された太陽電池部としての色素増感太陽電池部９３と、上板ガラス９１の視認側である上面に液晶部９４に対応して配設された第１の偏光板としての透過型偏光板９５と、下板ガラス９２の視認側と反対側である下面に液晶部９４に対応して配設された第２の偏光板としての半透過反射板付偏光板９６等により構成されている。
【００６７】
なお、液晶部９４は、上板ガラス９１と中板ガラス９９との間にシール部材９７により封止され、色素増感太陽電池部９３は、中板ガラス９９と下板ガラス９２との間にシール部材９７により封止されている。このシール部材９７は、光透過性を有する樹脂等からなることが好ましい。そして、色素増感太陽電池部９３と液晶部９４は、中板ガラス９９を介して重なり合うように配置されている。
【００６８】
このような構成の表示装置９０も、表示装置９０自体が光透過性を有するように構成されている。
つまり、色素増感太陽電池部９３は、文字板１３に形成された窓部１３ｃから太陽光などの外部光が液晶部９４を介して照射されるようになっている。また、色素増感太陽電池部９３は、バックライトとしてのＥＬ発光素子１０が出力する光が半透過反射板付偏光板９６を介して照射されるようになっている。
また、液晶部９４は、文字板１３に形成された窓部１３ｃから太陽光などの外部光が照射されたり、バックライトとしてのＥＬ発光素子１０が出力する光が半透過反射板付偏光板９６や色素増感太陽電池部９３を介して照射されたりするようになっており、液晶部９４（液晶表示部）における液晶表示（デジタル表示）を窓部１３ｃから視認することができるようになっている。
【００６９】
また、表示装置９０の視認側と反対側に備えられたバックライト（ＥＬ発光素子１０）は勿論のこと、表示装置９０の視認側に備えられたフロントライトや、表示装置９０の周囲側部に備えられたサイドライトによっても、それらライト（発光素子、光照射部）が出力する光によって、表示装置９０を照射することができ、表示装置９０の色素増感太陽電池部９３と液晶部９４の両方に光を照射することができる。
【００７０】
このような表示装置９０を腕時計に備えることにより、表示装置９０の液晶部９４によって液晶表示機能（デジタル表示機能）が腕時計に付与されるとともに、表示装置９０の色素増感太陽電池部９３によって二次電池１６が充電されるようになる。
なお、実施形態６においても、その他実施形態１、実施形態５と同様の効果が得られることは勿論である。
【００７１】
（実施形態７）
次に、図１２を参照して、本発明を腕時計に適用した実施形態７について説明する。なお、実施形態１、実施形態５と同一部分には同一符号を付し、異なる部分について説明する。
【００７２】
本発明にかかる腕時計の時計計時部に備えられる表示装置は、図１２に示すような構造の表示装置６０であってもよい。
表示装置６０は、第１の光透過基板である上板ガラス９１と、上板ガラス９１の視認側と反対側に配設される第２の光透過基板である下板ガラス９２と、上板ガラス９１と下板ガラス９２との間に配置される中間光透過基板である中板ガラス９９と、上板ガラス９１と中板ガラス９９との間の第１の領域に配設された太陽電池部としての色素増感太陽電池部９３ａと、中板ガラス９９と下板ガラス９２との間の第２の領域に配設された液晶部９４ａと、上板ガラス９１の視認側である上面に液晶部９４ａに対応して配設された第１の偏光板としての透過型偏光板９５ａと、下板ガラス９２の視認側と反対側である下面に液晶部９４ａに対応して配設された第２の偏光板としての半透過反射板付偏光板９６ａ等により構成されている。
【００７３】
なお、色素増感太陽電池部９３ａは、上板ガラス９１と中板ガラス９９との間にシール部材９７ａにより封止され、液晶部９４ａは、中板ガラス９９と下板ガラス９２との間にシール部材９７ａにより封止されている。このシール部材９７ａは、光透過性を有する樹脂等からなることが好ましい。
【００７４】
この表示装置６０は、実施形態１における表示装置８に中板ガラス９９を配設し、色素増感太陽電池部と液晶部とを中板ガラス９９を介してそれぞれの領域に配置したものである。
なお、表示装置６０において、色素増感太陽電池部９３ａと液晶部９４ａをそれぞれ異なるガラス基板間に配設したことにより、液晶部９４ａにおける図示しない透明電極（上透明電極、下透明電極）から延出する配線（図示省略）の形成が行いやすくなる。
つまり、表示装置６０においては、実施形態１における表示装置８のように、同一のガラス基板間に色素増感太陽電池部９３ａと液晶部９４ａとが配設されず、表示装置６０の中板ガラス９９と下板ガラス９２の間には、液晶部９４ａのみが配設され、その液晶部９４ａに関する構成の配設のみを行うことができる。よって、中板ガラス９９と下板ガラス９２の間において、液晶部９４ａの図示しない透明電極から延出する配線（図示省略）を形成する自由度が向上することになり、配線（図示省略）の形成が行いやすくなる。なお、その配線（図示省略）はコネクター１８に接続している。
【００７５】
このような構成の表示装置６０も、表示装置６０自体が光透過性を有するように構成されている。
よって、表示装置６０の視認側に備えられたフロントライトは勿論のこと、表示装置６０の視認側と反対側に備えられたバックライトや、表示装置６０の周囲側部に備えられたサイドライトによっても、それらライト（発光素子、光照射部）が出力する光によって、表示装置６０を照射することができ、表示装置６０の色素増感太陽電池部９３ａと液晶部９４ａの両方に光を照射することができる。
なお、色素増感太陽電池部９３ａを中板ガラス９９と下板ガラス９２との間に配設し、液晶部９４ａを上板ガラス９１と中板ガラス９９との間に配設するようにしてもよい。
【００７６】
このような表示装置６０を腕時計に備えることにより、表示装置６０の液晶部９４ａによって液晶表示機能（デジタル表示機能）が腕時計に付与されるとともに、表示装置６０の色素増感太陽電池部９３ａによって二次電池１６が充電されるようになる。
なお、実施形態７においても、その他実施形態１、実施形態５と同様の効果が得られることは勿論である。
【００７７】
（実施形態８）
次に、図１３を参照して、本発明を腕時計に適用した実施形態８について説明する。なお、実施形態１、実施形態５と同一部分には同一符号を付し、異なる部分について説明する。
【００７８】
本発明にかかる腕時計の時計計時部に備えられる表示装置は、図１３に示すような構造の表示装置７０であってもよい。
表示装置７０は、第１の光透過基板である上板ガラス９１と、上板ガラス９１の視認側と反対側に配設される第２の光透過基板である下板ガラス９２と、上板ガラス９１と下板ガラス９２との間に配置される中間光透過基板である中板ガラス９９と、中板ガラス９９と下板ガラス９２との間の第１の領域に配設された太陽電池部としての色素増感太陽電池部９３ｂと、上板ガラス９１と中板ガラス９９との間の第２の領域に配設された液晶部９４ｂと、上板ガラス９１の視認側である上面に液晶部９４ｂに対応して配設された第１の偏光板としての透過型偏光板９５ｂと、下板ガラス９２の視認側と反対側である下面に液晶部９４ｂに対応して配設された第２の偏光板としての半透過反射板付偏光板９６ｂ等により構成されている。
【００７９】
なお、色素増感太陽電池部９３ｂは、中板ガラス９９と下板ガラス９２との間にシール部材９７ｂにより封止され、液晶部９４ｂは、上板ガラス９１と中板ガラス９９との間にシール部材９７ｂにより封止されている。このシール部材９７ｂは、光透過性を有する樹脂等からなることが好ましい。
【００８０】
この表示装置７０は、実施形態４における表示装置８０に中板ガラス９９を配設し、色素増感太陽電池部と液晶部とを中板ガラス９９を介してそれぞれの領域に配置したものである。
なお、表示装置７０において、色素増感太陽電池部９３ｂと液晶部９４ｂをそれぞれ異なるガラス基板間に配設したことにより、液晶部９４ｂにおける図示しない透明電極（上透明電極、下透明電極）から延出する配線（図示省略）の形成が行いやすくなる。
つまり、表示装置７０においては、実施形態４における表示装置８０のように、同一のガラス基板間に色素増感太陽電池部９３ｂと液晶部９４ｂとが配設されず、表示装置７０の上板ガラス９１と中板ガラス９９の間には、液晶部９４ｂのみが配設され、その液晶部９４ｂに関する構成の配設のみを行うことができる。よって、上板ガラス９１と中板ガラス９９の間において、液晶部９４ｂの図示しない透明電極から延出する配線（図示省略）を形成する自由度が向上することになり、配線（図示省略）の形成が行いやすくなる。なお、その配線（図示省略）はコネクター１８に接続している。
【００８１】
このような構成の表示装置７０も、表示装置７０自体が光透過性を有するように構成されている。
よって、表示装置７０の視認側に備えられたフロントライトは勿論のこと、表示装置７０の視認側と反対側に備えられたバックライトや、表示装置７０の周囲側部に備えられたサイドライトによっても、それらライト（発光素子、光照射部）が出力する光によって、表示装置７０を照射することができ、表示装置７０の色素増感太陽電池部９３ｂと液晶部９４ｂの両方に光を照射することができる。
なお、液晶部９４ｂを中板ガラス９９と下板ガラス９２との間に配設し、色素増感太陽電池部９３ｂを上板ガラス９１と中板ガラス９９との間に配設するようにしてもよい。
【００８２】
このような表示装置７０を腕時計に備えることにより、表示装置７０の液晶部９４ｂによって液晶表示機能（デジタル表示機能）が腕時計に付与されるとともに、表示装置７０の色素増感太陽電池部９３ｂによって二次電池１６が充電されるようになる。
なお、実施形態８においても、その他実施形態１、実施形態５と同様の効果が得られることは勿論である。
【００８３】
なお、以上の実施の形態においては、電子機器として腕時計を例に説明したが、本発明はこれに限定されるものではなく、電子機器は、携帯電話機、ＰＤＡ、パソコン、自動車の計器類など、各種機器であってもよい。
【００８４】
また、色素増感太陽電池部における色素として、ルテニウム系の色素を例にあげたが、色素としては、メロシアニン系、クマリン系、フェナントロリン系の色素なども用いることができる。
また、太陽電池部として、色素増感太陽電池部を例に説明したが、本発明はこれに限定されるものではなく、太陽電池部は光透過性を有するものであれば、任意のものでよい。
【００８５】
また、その他、具体的な細部構造等についても適宜に変更可能であることは勿論である。
【図面の簡単な説明】
【００８６】
【図１】本発明にかかる実施形態１を適用した腕時計を示す一部省略平面図である。
【図２】図１のII−II線における腕時計の要部の断面図である。
【図３】本発明にかかる実施形態１を適用した表示装置を示す平面図である。
【図４】図３のIV−IV線における表示装置の断面図である。
【図５】本発明にかかる実施形態２を適用した腕時計を示す断面図である。
【図６】本発明にかかる実施形態３を適用した腕時計を示す断面図である。
【図７】本発明にかかる実施形態４を適用した表示装置を示す平面図である。
【図８】図７のVIII−VIII線における表示装置の断面図である。
【図９】本発明にかかる実施形態５を適用した腕時計を示す断面図である。
【図１０】本発明にかかる実施形態５を適用した表示装置を示す断面図である。
【図１１】本発明にかかる実施形態６を適用した表示装置を示す断面図である。
【図１２】本発明にかかる実施形態７を適用した表示装置を示す断面図である。
【図１３】本発明にかかる実施形態８を適用した表示装置を示す断面図である。
【符号の説明】
【００８７】
１  時計計時部
２  時計ケース（機器ケース）
８、８０、９、９０、６０、７０  表示装置
８１  上板ガラス（第１の光透過基板）
８２  下板ガラス（第２の光透過基板）
８３、８３ａ  色素増感太陽電池部（太陽電池部）
８４、８４ａ  液晶部
８５、８５ａ  透過型偏光板（第１の偏光板）
８６、８６ａ  半透過反射板付偏光板（第２の偏光板）
９１  上板ガラス（第１の光透過基板）
９２  下板ガラス（第２の光透過基板）
９３、９３ａ、９３ｂ  色素増感太陽電池部（太陽電池部）
９４、９４ａ、９４ｂ  液晶部
９５、９５ａ、９５ｂ  透過型偏光板（第１の偏光板）
９６、９６ａ、９６ｂ  半透過反射板付偏光板（第２の偏光板）
９９  中板ガラス（中間光透過基板）
１０  ＥＬ発光素子（光照射部）
１０ａ  発光素子（光照射部）
１１  上部ハウジング
１２  下部ハウジング
１００、２００、３００、４００  腕時計（電子機器）
Ｅ１  第１の領域
Ｅ２  第２の領域
【図１】
2005061917.tif 000003
【図２】
2005061917.tif 000004
【図３】
2005061917.tif 000005
【図４】
2005061917.tif 000006
【図５】
2005061917.tif 000007
【図６】
2005061917.tif 000008
【図７】
2005061917.tif 000009
【図８】
2005061917.tif 000010
【図９】
2005061917.tif 000011
【図１０】
2005061917.tif 000012
【図１１】
2005061917.tif 000013
【図１２】
2005061917.tif 000014
【図１３】
2005061917.tif 000015